【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
表示出力の１フレーム期間に露光条件の異なる複数のフレームが含まれるように撮影されてなる動画データを再生する再生装置であって、
前記動画データを格納する記録手段と、
前記記録手段に格納された前記動画データから、前記表示出力の１フレーム期間に含まれる前記複数のフレームのうち、ユーザ操作に応じて指定される露光条件を有する１フレームを選択する選択手段と、
前記選択手段で選択されたフレームを再生する再生手段と
を備える
ことを特徴とする再生装置。
【請求項２】
前記選択手段で選択されたフレームを特定する情報を、前記ユーザ操作により指定された前記露光条件と関連付けて前記記録手段に保存する再生条件保存手段をさらに備える
ことを特徴とする請求項１に記載の再生装置。
【請求項３】
再生される動画データの明るさをアップする指示入力がユーザ操作により発生した場合に、現在指定されている露光条件よりも明るい露光条件で撮影されたフレームが前記複数のフレームの中に存在するか否かを判定する第１の判定手段と、
前記第１の判定手段により存在すると判定された場合に、前記現在指定されている露光条件に代えて前記明るい露光条件を指定する第１の制御手段と、
を更に備えることを特徴とする請求項１又は２に記載の再生装置。
【請求項４】
再生される動画データの明るさをダウンする指示入力がユーザ操作により発生した場合に、現在指定されている露光条件よりも暗い露光条件で撮影されたフレームが前記複数のフレームの中に存在するか否かを判定する第２の判定手段と、
前記第２の判定手段により存在すると判定された場合に、前記現在指定されている露光条件に代えて前記暗い露光条件を指定する第２の制御手段と、
を更に備えることを特徴とする請求項１乃至３のいずれか１項に記載の再生装置。
【請求項５】
表示出力の１フレーム期間に露光条件の異なる複数のフレームが含まれるように撮影されてなる動画データを再生する再生装置であって、
前記動画データを格納する記録手段と、
前記記録手段に格納された前記動画データから、前記表示出力の１フレーム期間に含まれる前記複数のフレームから少なくとも１フレームを選択する選択手段と、
前記選択手段で選択されたフレームを再生する再生手段と、
前記再生手段が再生する前記動画データに対する注目領域の指定を受け付ける受付手段と
を備え、
前記選択手段は、
前記指定された前記注目領域の特性に基づき前記表示出力の１フレーム期間に含まれる前記複数のフレームから１フレームを選択する
ことを特徴とする再生装置。
【請求項６】
前記選択手段で前記注目領域の特性に基づき選択されたフレームの画像から、前記注目領域の画像からなるフレームを生成するフレーム生成手段をさらに備え、
前記再生手段は、前記フレーム生成手段が生成したフレームを再生する
ことを特徴とする請求項５に記載の再生装置。
【請求項７】
前記選択手段は、前記表示出力の１フレーム期間に前記複数のフレームから２以上のフレームを選択し、
前記再生装置は、前記選択手段で選択された前記２以上のフレームを合成して１の合成フレームを生成するフレーム合成手段をさらに備え、
前記フレーム生成手段は、
前記注目領域に対応する、前記フレーム合成手段で合成された前記合成フレームの領域の画像によりフレームを生成する
ことを特徴とする請求項６に記載の再生装置。
【請求項８】
前記選択手段は、
前記表示出力の１フレーム期間ごとに前記特性が段階的に変化するような組み合わせで、前記複数のフレームから前記２以上のフレームを選択する
ことを特徴とする請求項７に記載の再生装置。
【請求項９】
前記特性は、前記注目領域での輝度特性であって、
前記選択手段は、
前記輝度特性に基づき露光条件を選択し、選択された該露光条件に基づきフレームを選択する
ことを特徴とする請求項５乃至請求項８の何れか１項に記載の再生装置。
【請求項１０】
前記選択手段で選択されたフレームを特定する情報を、該フレームの露光条件と関連付けて前記記録手段に保存する露光条件保存手段をさらに備える
ことを特徴とする請求項９に記載の再生装置。
【請求項１１】
前記注目領域を示す情報を該注目領域が指定された画像のフレームと関連付けて前記記録手段に保存する領域情報保存手段をさらに備える
ことを特徴とする請求項５乃至請求項１０の何れか１項に記載の再生装置。
【請求項１２】
表示出力の１フレーム期間に露光条件の異なる複数のフレームが含まれるように撮影されてなる動画データを再生する再生装置における再生方法であって、
前記再生装置の選択手段が、記録手段に格納された前記動画データから、前記表示出力の１フレーム期間に含まれる前記複数のフレームのうち、ユーザ操作に応じて指定される露光条件を有する１フレームを選択する選択ステップと、
前記再生装置の再生手段が、前記選択ステップで選択されたフレームを再生する再生ステップと
を備える
ことを特徴とする再生方法。
【請求項１３】
表示出力の１フレーム期間に露光条件の異なる複数のフレームが含まれるように撮影されてなる動画データを再生する再生装置における再生方法であって、
前記再生装置の選択手段が、記録手段に格納された前記動画データから、前記表示出力の１フレーム期間に含まれる前記複数のフレームから少なくとも１フレームを選択する選択ステップと、
前記再生装置の再生手段が、前記選択ステップで選択されたフレームを再生する再生ステップと、
前記再生装置の受付手段が、前記再生ステップにより再生する前記動画データに対する注目領域の指定を受け付ける受付ステップと
を備え、
前記選択ステップは、
前記指定された前記注目領域の特性に基づき前記表示出力の１フレーム期間に含まれる前記複数のフレームから１フレームを選択する
ことを特徴とする再生方法。
【手続補正２】
【補正対象書類名】明細書
【補正対象項目名】０００６
【補正方法】変更
【補正の内容】
【０００６】
本発明は、上述した課題を解決するために、表示出力の１フレーム期間に露光条件の異なる複数のフレームが含まれるように撮影されてなる動画データを再生する再生装置であって、動画データを格納する記録手段と、記録手段に格納された動画データから、表示出力の１フレーム期間に含まれる複数のフレームのうち、ユーザ操作に応じて指定される露光条件を有する１フレームを選択する選択手段と、選択手段で選択されたフレームを再生する再生手段とを備えることを特徴とする再生装置である。
【手続補正３】
【補正対象書類名】明細書
【補正対象項目名】０００７
【補正方法】変更
【補正の内容】
【０００７】
本発明は、表示出力の１フレーム期間に露光条件の異なる複数のフレームが含まれるように撮影されてなる動画データを再生する再生装置であって、動画データを格納する記録手段と、記録手段に格納された動画データから、表示出力の１フレーム期間に含まれる複数のフレームから少なくとも１フレームを選択する選択手段と、選択手段で選択されたフレームを再生する再生手段と、再生手段が再生する動画データに対する注目領域の指定を受け付ける受付手段とを備え、選択手段は、指定された注目領域の特性に基づき表示出力の１フレーム期間に含まれる複数のフレームから１フレームを選択することを特徴とする再生装置である。